(57)【要約】【課題】本発明は、蓄積文書をマージした後に機密マークを当該マージした文書画像に合成して印刷することで機密を保持する画像形成装置及び記録媒体に関する。【解決手段】画像形成装置１は、原稿読取部８から入力した文書データを画像蓄積部７に蓄積し、画像蓄積部７に蓄積されている任意の複数の蓄積文書を結合（マージ）して印刷部１１で印刷する結合文書印刷を行うとともに、当該結合した結合文書の各ページに任意のマークを合成して印刷部１１で印刷する結合文書マーク合成印刷を行うが、このとき、当該結合した複数の蓄積文書の組毎に当該印刷したマークを使用済みマークとして不揮発ＲＡＭ６に記憶して、結合文書マーク合成印刷文書の管理及び回収時のセキュリティを向上させる。【選択図】          図１
2005186517.tif 000002
【特許請求の範囲】
【請求項１】
入力手段から入力した複数の文書データを蓄積手段に蓄積し、当該蓄積手段に蓄積されている任意の複数の蓄積文書を結合して印刷手段で印刷する結合文書印刷を行うとともに、当該結合した結合文書の各ページに任意の画像を合成して前記印刷手段で印刷する結合文書合成印刷を行う画像形成装置であって、前記結合文書合成印刷で、前記結合文書を構成する前記蓄積文書の各ページに任意のマークを合成して印刷する結合文書マーク合成印刷を行うとともに、当該結合した複数の蓄積文書の組毎に当該印刷したマークを使用済みマークとして記憶手段に記憶することを特徴とする画像形成装置。
【請求項２】
前記画像形成装置は、任意の複数の前記蓄積文書を結合させて印刷するために選択された複数の蓄積文書の組を１つの仮想的な結合文書として記憶し、前記結合文書マーク合成印刷時には、当該仮想的な結合文書を指定して当該結合文書マーク合成印刷を実行することを特徴とする請求項１記載の画像形成装置。
【請求項３】
前記画像形成装置は、所定の表示手段を備え、前記記憶手段に記憶されている前記使用済みマークを、前記結合文書マーク合成印刷を行った前記蓄積文書の組としての結合文書毎に、前記表示手段に表示出力、前記印刷手段で印刷出力、または、外部装置への出力のうち、少なくとも１つを行うことを特徴とする請求項１または請求項２記載の画像形成装置。
【請求項４】
前記画像形成装置は、前記結合文書マーク合成印刷に使用する前記マークを、前記記憶手段に記憶されている前記使用済みマーク以外のマークから自動的に選択することを特徴とする請求項１から請求項３のいずれかに記載の画像形成装置。
【請求項５】
前記画像形成装置は、前記自動選択可能なマークがなくなると、新たな結合文書マーク合成印刷を中止することを特徴とする請求項４記載の画像形成装置。
【請求項６】
前記画像形成装置は、前記結合文書マーク合成印刷に使用するマークを指定するマーク指定手段を備え、当該マーク指定手段で指定されたマークを前記結合文書マーク合成印刷で使用することを特徴とする請求項１から請求項３のいずれかに記載の画像形成装置。
【請求項７】
前記画像形成装置は、前記マーク指定手段で指定されたマークが前記記憶手段に記憶されている前記使用済みマークと一致すると、当該指定されたマークを使用した結合文書マーク合成印刷を拒否することを特徴とする請求項６記載の画像形成装置。
【請求項８】
前記画像形成装置は、前記蓄積手段の任意の複数の前記蓄積文書を結合させて印刷するために選択された複数の蓄積文書の組を１つの仮想的な結合文書とし、当該仮想的な結合文書を前記結合文書マーク合成印刷の対象文書とするか否かの結合文書マーク合成印刷対象文書可否設定が可能であり、また、当該結合文書マーク合成印刷対象文書とした前記仮想的な結合文書に対してパスワードの設定が可能であることを特徴とする請求項１から請求項７のいずれかに記載の画像形成装置。
【請求項９】
前記画像形成装置は、前記仮想的な結合文書を前記結合文書マーク合成印刷の対象文書に設定して結合文書マーク合成印刷対象文書とすると、当該結合文書マーク合成印刷対象文書とした前記仮想的な結合文書の印刷条件を所定の印刷条件に固定することを特徴とする請求項８記載の画像形成装置。
【請求項１０】
前記画像形成装置は、前記仮想的な結合文書を前記結合文書マーク合成印刷の対象文書に設定して結合文書マーク合成印刷対象文書とすると、当該結合文書マーク合成印刷対象文書とした前記仮想的な結合文書を構成する個々の前記蓄積文書の単独での印刷を不可に設定することを特徴とする請求項８または請求項９記載の画像形成装置。
【請求項１１】
前記画像形成装置は、前記結合文書マーク合成印刷対象文書とした前記仮想的な結合文書に対して前記パスワードが設定されていると、当該結合文書を構成する前記蓄積文書を利用した動作に際して、当該パスワードの認証を条件とすることを特徴とする請求項８から請求項１０のいずれかに記載の画像形成装置。
【請求項１２】
文書データを入力する入力手段と、文書データを蓄積する蓄積手段と、画像を用紙に印刷出力する印刷手段と、を備えた画像形成装置に読み取られて組み込まれ、前記入力手段から入力される複数の文書データを前記蓄積手段に蓄積させ、当該任意の複数の蓄積文書を結合して前記印刷手段で印刷する結合文書印刷を行うとともに、当該結合した結合文書の各ページに任意の画像を合成して前記印刷手段で印刷する結合文書合成印刷を行わせるソフトウェアを記録する記録媒体であって、前記ソフトウェアとして、前記請求項１から請求項１１の画像形成装置の実行する結合文書マーク合成印刷処理を当該画像形成装置に実行させるソフトウェアを記録することを特徴とする記録媒体。
【発明の詳細な説明】
【技術分野】
【０００１】
本発明は、画像形成装置及び記録媒体に関し、詳細には、蓄積文書をマージ（結合）した後に機密マークを当該マージした文書画像に合成して印刷することで機密を保持する画像形成装置及び記録媒体に関する。
【背景技術】
【０００２】
従来から企業や公的機関においては、重要文書および図面等の機密保持を必要とする文書（以下、必要に応じて、機密文書という。）を取り扱うことが多く、各企業や公的機関は、機密文書の取扱に細心の注意を払って、機密文書が漏洩することを防止している。
【０００３】
ところが、会議資料等のように配布された機密文書は、当該機密文書が複写されて外部に持ち出される場合がしばしばある。
【０００４】
そこで、会議等で機密文書を配布する際には、同一原稿を複数部コピーした場合に、各コピーにそれぞれ異なるマーク（例えば、シリアル番号）を記述し、被配布者とマークの組合わせを記憶して、当該機密文書が漏洩した場合に、漏洩元が明らかなるようにして、機密文書の機密保持を行う等の工夫を行っている。
【０００５】
そして、本出願人は、先に、同一原稿に対する連続画像形成時に、画像形成毎にマーク画像データのマークを変更して、当該マークを原稿の画像に合成して画像形成する画像形成装置を提案している（特許文献１参照）。
【０００６】
【特許文献１】特開平５−２２５６８号公報
【発明の開示】
【発明が解決しようとする課題】
【０００７】
しかしながら、上記従来技術にあっては、機密保持のためのマークを合成して印刷する場合、大略、以下のような処理手順で実行される。
【０００８】
（１）機密ナンバリング印刷モード設定
（２）マークされる番号の開始番号入力
（３）原稿セット
（４）印刷部数入力後、コピースタート
（５）コピーが終わり次第、原稿とコピーを回収する。
【０００９】
すなわち、従来技術では、コピーを終了した後、原稿を持ち帰って原稿を管理することが可能な状況のみを考慮しており、このような状況では、同一文書のそれぞれの部数に対して、同じマークが合成されることはあり得ない。
【００１０】
ところが、近年、文書が蓄積可能な画像形成装置が出現しており、このような蓄積機能を備えた画像形成装置においては、先にスキャナで文書を読み取り、その後、任意のタイミングで印刷することができる。
【００１１】
このような蓄積機能を備えた画像形成装置を用いると、任意のタイミングで任意の部数を印刷することができるために、同一文書の複製物に対して、同じマークを合成させることができ、機密保持のためのマークが機能しない状況となる。
【００１２】
特に、蓄積文書をマージ（結合）して印刷する場合に、この従来の技術でマークを印刷しても適切に機密を保護することができない。
【００１３】
そこで、請求項１記載の発明は、入力手段から入力した複数の文書データを蓄積手段に蓄積し、当該蓄積手段に蓄積されている任意の複数の蓄積文書を結合して印刷手段で印刷する結合文書印刷を行うとともに、当該結合した結合文書の各ページに任意の画像を合成して印刷手段で印刷する結合文書合成印刷を行うに際して、当該結合文書合成印刷として、結合文書を構成する蓄積文書の各ページに任意のマークを合成して印刷する結合文書マーク合成印刷を行うとともに、当該結合した複数の蓄積文書の組毎に当該印刷したマークを使用済みマークとして記憶手段に記憶することにより、任意のタイミングで任意の部数だけ複数の蓄積文書を結合させるとともにマーク合成して印刷する結合文書マーク合成印刷の利用性を向上させるとともに、結合文書マーク合成印刷文書の管理及び回収時のセキュリティを向上させ、利用性を向上させつつ機密保護を必要とする蓄積文書の機密保護を適切に向上させる画像形成装置を提供することを目的としている。
【００１４】
請求項２記載の発明は、任意の複数の蓄積文書を結合させて印刷するために選択された複数の蓄積文書の組を１つの仮想的な結合文書として記憶し、結合文書マーク合成印刷時には、当該仮想的な結合文書を指定して当該結合文書マーク合成印刷を実行することにより、結合文書マーク合成印刷を行うたびに、結合した蓄積文書を個々に選択する手間を省いて、操作手順を容易なものとし、利用性をより一層向上させつつ機密保護を必要とする蓄積文書の機密保護を適切に向上させる画像形成装置を提供することを目的としている。
【００１５】
請求項３記載の発明は、記憶手段に記憶されている使用済みマークを、結合文書マーク合成印刷を行った蓄積文書の組としての結合文書毎に、表示手段に表示出力、印刷手段で印刷出力、または、外部装置への出力のうち、少なくとも１つを行うことにより、機密保護用のマークを合成印刷した結合文書マーク合成印刷物の配布、回収時のチェックを容易に行うことができ、利用性をより一層向上させつつ機密保護を必要とする蓄積文書の機密保護をより一層適切に向上させる画像形成装置を提供することを目的としている。
【００１６】
請求項４記載の発明は、結合文書マーク合成印刷に使用するマークを、記憶手段に記憶されている使用済みマーク以外のマークから自動的に選択することにより、同じ蓄積文書で同じマークを２度と使わないようにしつつマークの選択を容易なものとして、機密保護用の結合文書マーク合成印刷時のセキュリティを向上させ、利用性をより一層向上させつつ機密保護を必要とする蓄積文書の機密保護をより一層適切に向上させる画像形成装置を提供することを目的としている。
【００１７】
請求項５記載の発明は、自動選択可能なマークがなくなると、新たな結合文書マーク合成印刷を中止することにより、同じマークが再度使われることを確実に防止し、利用性を向上させつつ機密保護を必要とする蓄積文書の機密保護をより一層適切に向上させる画像形成装置を提供することを目的としている。
【００１８】
請求項６記載の発明は、結合文書マーク合成印刷に使用するマークを指定するマーク指定手段で、結合文書マーク合成印刷で指定されたマークを使用することにより、機密保護に使用するマークの指定を容易に行うとともに、利用者の意図するマークを適切に選択できるようにし、利用性をより一層向上させつつ機密保護を必要とする蓄積文書の機密保護をより一層適切に向上させる画像形成装置を提供することを目的としている。
【００１９】
請求項７記載の発明は、マーク指定手段で指定されたマークが記憶手段に記憶されている使用済みマークと一致すると、当該指定されたマークを使用した結合文書マーク合成印刷を拒否することにより、オペレータが選択することによるマークの重複使用を未然に防止し、利用性をより一層向上させつつ、機密保護を必要とする蓄積文書の機密保護をより一層適切に向上させる画像形成装置を提供することを目的としている。
【００２０】
請求項８記載の発明は、蓄積手段の任意の複数の蓄積文書を結合させて印刷するために選択された複数の蓄積文書の組を１つの仮想的な結合文書とし、当該仮想的な結合文書を結合文書マーク合成印刷の対象文書とするか否かの結合文書マーク合成印刷対象文書可否設定を可能とし、また、当該結合文書マーク合成印刷対象文書とした仮想的な結合文書に対してパスワードの設定を可能とすることにより、機密管理の必要のない文書については、通常の文書処理を可能として、利用性を向上させるとともに、機密保護を必要とする蓄積文書の結合文書単位での機密保護を適切に向上させる画像形成装置を提供することを目的としている。
【００２１】
請求項９記載の発明は、仮想的な結合文書を結合文書マーク合成印刷の対象文書に設定して結合文書マーク合成印刷対象文書とすると、当該結合文書マーク合成印刷対象文書とした仮想的な結合文書の印刷条件を所定の印刷条件に固定することにより、機密保護を必要とする蓄積文書の結合文書マーク合成印刷物では印刷スタイルを統一することで、機密保護を必要とする結合文書マーク合成印刷物の配布、回収時のチェックを容易なものとし、機密保護を必要とする蓄積文書の機密保護をより一層適切に向上させる画像形成装置を提供することを目的としている。
【００２２】
請求項１０記載の発明は、仮想的な結合文書を結合文書マーク合成印刷の対象文書に設定して結合文書マーク合成印刷対象文書とすると、当該結合文書マーク合成印刷対象文書とした仮想的な結合文書を構成する個々の蓄積文書の単独での印刷を不可に設定することにより、結合文書マーク合成印刷対象文書を構成して当該結合文書の個々の蓄積文書と同じ内容の蓄積文書が単独で印刷されて、機密性が損なわれることを防止し、機密保護を必要とする蓄積文書の機密保護をより一層適切に向上させる画像形成装置を提供することを目的としている。
【００２３】
請求項１１記載の発明は、結合文書マーク合成印刷対象文書とした仮想的な結合文書に対してパスワードが設定されていると、当該結合文書を構成する蓄積文書を利用した動作に際して、当該パスワードの認証を条件とすることにより、機密保護を必要とする結合文書を構成する個々の蓄積文書及び当該結合文書の機密マーク印刷の履歴情報等についてもより一層適切に機密を保護する画像形成装置を提供することを目的としている。
【００２４】
請求項１２記載の発明は、文書データを入力する入力手段と、文書データを蓄積する蓄積手段と、画像を用紙に印刷出力する印刷手段と、を備えた画像形成装置に読み取られて組み込まれ、入力手段から入力される複数の文書データを蓄積手段に蓄積させ、当該任意の複数の蓄積文書を結合して印刷手段で印刷する結合文書印刷を行うとともに、当該結合した結合文書の各ページに任意の画像を合成して印刷手段で印刷する結合文書合成印刷を行わせるソフトウェアを記録するに際して、ソフトウェアとして、請求項１から請求項１１の画像形成装置の実行する結合文書マーク合成印刷処理を当該画像形成装置に実行させるソフトウェアを記録することにより、当該ソフトウェアを画像形成装置に導入して実行することで、利用性を向上させつつ、機密保護を必要とする結合文書の機密及び結合文書を構成する個々の蓄積文書の機密を適切に保護する画像形成装置を構築することのできる記録媒体を提供することを目的としている。
【課題を解決するための手段】
【００２５】
請求項１記載の発明の画像形成装置は、入力手段から入力した複数の文書データを蓄積手段に蓄積し、当該蓄積手段に蓄積されている任意の複数の蓄積文書を結合して印刷手段で印刷する結合文書印刷を行うとともに、当該結合した結合文書の各ページに任意の画像を合成して前記印刷手段で印刷する結合文書合成印刷を行う画像形成装置であって、前記結合文書合成印刷で、前記結合文書を構成する前記蓄積文書の各ページに任意のマークを合成して印刷する結合文書マーク合成印刷を行うとともに、当該結合した複数の蓄積文書の組毎に当該印刷したマークを使用済みマークとして記憶手段に記憶することにより、上記目的を達成している。
【００２６】
この場合、例えば、請求項２に記載するように、前記画像形成装置は、任意の複数の前記蓄積文書を結合させて印刷するために選択された複数の蓄積文書の組を１つの仮想的な結合文書として記憶し、前記結合文書マーク合成印刷時には、当該仮想的な結合文書を指定して当該結合文書マーク合成印刷を実行するものであってもよい。
【００２７】
また、例えば、請求項３に記載するように、前記画像形成装置は、所定の表示手段を備え、前記記憶手段に記憶されている前記使用済みマークを、前記結合文書マーク合成印刷を行った前記蓄積文書の組としての結合文書毎に、前記表示手段に表示出力、前記印刷手段で印刷出力、または、外部装置への出力のうち、少なくとも１つを行うものであってもよい。
【００２８】
さらに、例えば、請求項４に記載するように、前記画像形成装置は、前記結合文書マーク合成印刷に使用する前記マークを、前記記憶手段に記憶されている前記使用済みマーク以外のマークから自動的に選択するものであってもよい。
【００２９】
また、例えば、請求項５に記載するように、前記画像形成装置は、前記自動選択可能なマークがなくなると、新たな結合文書マーク合成印刷を中止するものであってもよい。
【００３０】
さらに、例えば、請求項６に記載するように、前記画像形成装置は、前記結合文書マーク合成印刷に使用するマークを指定するマーク指定手段を備え、当該マーク指定手段で指定されたマークを前記結合文書マーク合成印刷で使用するものであってもよい。
【００３１】
また、例えば、請求項７に記載するように、前記画像形成装置は、前記マーク指定手段で指定されたマークが前記記憶手段に記憶されている前記使用済みマークと一致すると、当該指定されたマークを使用した結合文書マーク合成印刷を拒否するものであってもよい。
【００３２】
さらに、例えば、請求項８に記載するように、前記画像形成装置は、前記蓄積手段の任意の複数の前記蓄積文書を結合させて印刷するために選択された複数の蓄積文書の組を１つの仮想的な結合文書とし、当該仮想的な結合文書を前記結合文書マーク合成印刷の対象文書とするか否かの結合文書マーク合成印刷対象文書可否設定が可能であり、また、当該結合文書マーク合成印刷対象文書とした前記仮想的な結合文書に対してパスワードの設定が可能であるものであってもよい。
【００３３】
また、例えば、請求項９に記載するように、前記画像形成装置は、前記仮想的な結合文書を前記結合文書マーク合成印刷の対象文書に設定して結合文書マーク合成印刷対象文書とすると、当該結合文書マーク合成印刷対象文書とした前記仮想的な結合文書の印刷条件を所定の印刷条件に固定するものであってもよい。
【００３４】
さらに、例えば、請求項１０に記載するように、前記画像形成装置は、前記仮想的な結合文書を前記結合文書マーク合成印刷の対象文書に設定して結合文書マーク合成印刷対象文書とすると、当該結合文書マーク合成印刷対象文書とした前記仮想的な結合文書を構成する個々の前記蓄積文書の単独での印刷を不可に設定するものであってもよい。
【００３５】
また、例えば、請求項１１に記載するように、前記画像形成装置は、前記結合文書マーク合成印刷対象文書とした前記仮想的な結合文書に対して前記パスワードが設定されていると、当該結合文書を構成する前記蓄積文書を利用した動作に際して、当該パスワードの認証を条件とするものであってもよい。
【００３６】
請求項１１記載の発明の記録媒体は、文書データを入力する入力手段と、文書データを蓄積する蓄積手段と、画像を用紙に印刷出力する印刷手段と、を備えた画像形成装置に読み取られて組み込まれ、前記入力手段から入力される複数の文書データを前記蓄積手段に蓄積させ、当該任意の複数の蓄積文書を結合して前記印刷手段で印刷する結合文書印刷を行うとともに、当該結合した結合文書の各ページに任意の画像を合成して前記印刷手段で印刷する結合文書合成印刷を行わせるソフトウェアを記録する記録媒体であって、前記ソフトウェアとして、前記請求項１から請求項１１の画像形成装置の実行する結合文書マーク合成印刷処理を当該画像形成装置に実行させるソフトウェアを記録することにより、上記目的を達成している。
【発明の効果】
【００３７】
請求項１記載の発明の画像形成装置によれば、入力手段から入力した複数の文書データを蓄積手段に蓄積し、当該蓄積手段に蓄積されている任意の複数の蓄積文書を結合して印刷手段で印刷する結合文書印刷を行うとともに、当該結合した結合文書の各ページに任意の画像を合成して印刷手段で印刷する結合文書合成印刷を行うに際して、当該結合文書合成印刷として、結合文書を構成する蓄積文書の各ページに任意のマークを合成して印刷する結合文書マーク合成印刷を行うとともに、当該結合した複数の蓄積文書の組毎に当該印刷したマークを使用済みマークとして記憶手段に記憶するので、任意のタイミングで任意の部数だけ複数の蓄積文書を結合させるとともにマーク合成して印刷する結合文書マーク合成印刷の利用性を向上させることができるとともに、結合文書マーク合成印刷文書の管理及び回収時のセキュリティを向上させることができ、利用性を向上させつつ機密保護を必要とする蓄積文書の機密保護を適切に向上させることができる。
【００３８】
請求項２記載の発明の画像形成装置によれば、任意の複数の蓄積文書を結合させて印刷するために選択された複数の蓄積文書の組を１つの仮想的な結合文書として記憶し、結合文書マーク合成印刷時には、当該仮想的な結合文書を指定して当該結合文書マーク合成印刷を実行するので、結合文書マーク合成印刷を行うたびに、結合した蓄積文書を個々に選択する手間を省いて、操作手順を容易なものとすることができ、利用性をより一層向上させつつ機密保護を必要とする蓄積文書の機密保護を適切に向上させることができる。
【００３９】
請求項３記載の発明の画像形成装置によれば、記憶手段に記憶されている使用済みマークを、結合文書マーク合成印刷を行った蓄積文書の組としての結合文書毎に、表示手段に表示出力、印刷手段で印刷出力、または、外部装置への出力のうち、少なくとも１つを行うので、機密保護用のマークを合成印刷した結合文書マーク合成印刷物の配布、回収時のチェックを容易に行うことができ、利用性をより一層向上させつつ機密保護を必要とする蓄積文書の機密保護をより一層適切に向上させることができる。
【００４０】
請求項４記載の発明の画像形成装置によれば、結合文書マーク合成印刷に使用するマークを、記憶手段に記憶されている使用済みマーク以外のマークから自動的に選択するので、同じ蓄積文書で同じマークを２度と使わないようにしつつマークの選択を容易なものとして、機密保護用の結合文書マーク合成印刷時のセキュリティを向上させることができ、利用性をより一層向上させつつ機密保護を必要とする蓄積文書の機密保護をより一層適切に向上させることができる。
【００４１】
請求項５記載の発明の画像形成装置によれば、自動選択可能なマークがなくなると、新たな結合文書マーク合成印刷を中止するので、同じマークが再度使われることを確実に防止することができ、利用性を向上させつつ機密保護を必要とする蓄積文書の機密保護をより一層適切に向上させることができる。
【００４２】
請求項６記載の発明の画像形成装置によれば、結合文書マーク合成印刷に使用するマークを指定するマーク指定手段で、結合文書マーク合成印刷で指定されたマークを使用するので、機密保護に使用するマークの指定を容易に行うことができるとともに、利用者の意図するマークを適切に選択することができ、利用性をより一層向上させつつ機密保護を必要とする蓄積文書の機密保護をより一層適切に向上させることができる。
【００４３】
請求項７記載の発明の画像形成装置によれば、マーク指定手段で指定されたマークが記憶手段に記憶されている使用済みマークと一致すると、当該指定されたマークを使用した結合文書マーク合成印刷を拒否するので、オペレータが選択することによるマークの重複使用を未然に防止することができ、利用性をより一層向上させつつ、機密保護を必要とする蓄積文書の機密保護をより一層適切に向上させることができる。
【００４４】
請求項８記載の発明の画像形成装置によれば、蓄積手段の任意の複数の蓄積文書を結合させて印刷するために選択された複数の蓄積文書の組を１つの仮想的な結合文書とし、当該仮想的な結合文書を結合文書マーク合成印刷の対象文書とするか否かの結合文書マーク合成印刷対象文書可否設定を可能とし、また、当該結合文書マーク合成印刷対象文書とした仮想的な結合文書に対してパスワードの設定を可能としているので、機密管理の必要のない文書については、通常の文書処理を可能として、利用性を向上させることができるとともに、機密保護を必要とする蓄積文書の結合文書単位での機密保護を適切に向上させることができる。
【００４５】
請求項９記載の発明の画像形成装置によれば、仮想的な結合文書を結合文書マーク合成印刷の対象文書に設定して結合文書マーク合成印刷対象文書とすると、当該結合文書マーク合成印刷対象文書とした仮想的な結合文書の印刷条件を所定の印刷条件に固定するので、機密保護を必要とする蓄積文書の結合文書マーク合成印刷物では印刷スタイルを統一することで、機密保護を必要とする結合文書マーク合成印刷物の配布、回収時のチェックを容易なものとすることができ、機密保護を必要とする蓄積文書の機密保護をより一層適切に向上させることができる。
【００４６】
請求項１０記載の発明の画像形成装置によれば、仮想的な結合文書を結合文書マーク合成印刷の対象文書に設定して結合文書マーク合成印刷対象文書とすると、当該結合文書マーク合成印刷対象文書とした仮想的な結合文書を構成する個々の蓄積文書の単独での印刷を不可に設定するので、結合文書マーク合成印刷対象文書を構成して当該結合文書の個々の蓄積文書と同じ内容の蓄積文書が単独で印刷されて、機密性が損なわれることを防止することができ、機密保護を必要とする蓄積文書の機密保護をより一層適切に向上させることができる。
【００４７】
請求項１１記載の発明の画像形成装置によれば、結合文書マーク合成印刷対象文書とした仮想的な結合文書に対してパスワードが設定されていると、当該結合文書を構成する蓄積文書を利用した動作に際して、当該パスワードの認証を条件とするので、機密保護を必要とする結合文書を構成する個々の蓄積文書及び当該結合文書の機密マーク印刷の履歴情報等についてもより一層適切に機密を保護することができる。
【００４８】
請求項１２記載の発明の記録媒体によれば、文書データを入力する入力手段と、文書データを蓄積する蓄積手段と、画像を用紙に印刷出力する印刷手段と、を備えた画像形成装置に読み取られて組み込まれ、入力手段から入力される複数の文書データを蓄積手段に蓄積させ、当該任意の複数の蓄積文書を結合して印刷手段で印刷する結合文書印刷を行うとともに、当該結合した結合文書の各ページに任意の画像を合成して印刷手段で印刷する結合文書合成印刷を行わせるソフトウェアを記録するに際して、ソフトウェアとして、請求項１から請求項１１の画像形成装置の実行する結合文書マーク合成印刷処理を当該画像形成装置に実行させるソフトウェアを記録するので、当該ソフトウェアを画像形成装置に導入して実行することで、利用性を向上させつつ、機密保護を必要とする結合文書の機密及び結合文書を構成する個々の蓄積文書の機密を適切に保護する画像形成装置を構築することができる。
【発明を実施するための最良の形態】
【００４９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００５０】
図１〜図２０は、本発明の画像形成装置及び記録媒体の一実施例を示す図であり、図１は、本発明の画像形成装置及び記録媒体の一実施例を適用した画像形成装置１のブロック構成図である。
【００５１】
図１において、画像形成装置１は、ＣＰＵ（Central Processing Unit ）２、ＲＯＭ（Read Only Memory）３、ＲＡＭ（Random Access Memory）４、操作部５、不揮発ＲＡＭ６、画像蓄積部７、原稿読取部８、ＭＳＵ９、画像メモリ１０、印刷部１１及びネットワークアダプタ１２等を備えている。
【００５２】
ＲＯＭ３は、画像形成装置１としての基本プログラム及び後述する結合文書マーク合成印刷処理プログラム等の各種プログラムを格納するとともに、これらの各プログラムを実行するのに必要な各種データを格納する。この結合文書マーク合成印刷処理プログラム（ソフトウェア）は、予めＲＯＭ３に格納されているものに限るものではなく、例えば、ＣＤ（Compact Disc）等の記録媒体に当該結合文書マーク合成印刷処理プログラムが記録されていて、当該結合文書マーク合成印刷処理プログラムを図示しないドライバで読み取って、図示しないハードディスクあるいはプログラム格納用メモリに格納するようにしてもよい。そして、本実施例の画像形成装置１は、当該結合文書マーク合成印刷処理プログラムを組み込むことで、構築される。
【００５３】
ＣＰＵ２は、ＲＯＭ３内のプログラムに基づいて、ＲＡＭ４をワークメモリとして利用しつつ画像形成装置１の各部を制御して、画像形成装置１としての基本処理を実行するとともに、後述する結合文書マーク合成印刷処理を実行する。
【００５４】
操作部５は、図２に示すように、テンキー２１、クリアキー２２、エンターキー２３、スタートキー２４、コピーキー２５、蓄積・印刷キー２６、マージ印刷一覧キー２７、初期設定キー２８等のハードキーが設けられているとともに、液晶タッチパネル（表示手段）２９が設けられている。液晶タッチパネル２９には、機能キー及び画像形成装置１の状態を示すメッセージ等が表示され、液晶タッチパネル２９は、後述するように、表示マーク合成印刷に使用するマークを指定するのに使用され、マーク指定手段としても機能する。
【００５５】
テンキー２１は、各種数値を入力するのに使用され、エンターキー２３は、テンキー２１で入力された数値を確定するために使用される。クリアキー２２は、テンキー２１等の入力をクリアするのに使用され、コピーキー２５は、画像形成装置１でコピー機能を実行させる場合に押下される。蓄積・印刷キー２６は、原稿読取部８で読み取った原稿の画像データを画像蓄積部７に蓄積したり、蓄積済の画像データを使用して印刷部１１で画像を用紙に印刷する場合に押下され、マージ印刷一覧キー２７は、複数の蓄積文書をまとめて印刷するマージ設定を行ったマージ印刷文書の一覧を表示させる場合に押下される。初期設定キー２８は、画像形成装置１の属性を設定する場合に押下される。
【００５６】
不揮発ＲＡＭ（記憶手段）６は、画像形成装置１の動作で、画像形成装置１の電源がオフになっても記憶しておくべき各種設定値やファイル属性テーブル及びマージ印刷属性等を、ＣＰＵ２の制御下で記憶する。
【００５７】
原稿読取部（入力手段）８は、例えば、ＣＣＤ（Charge Coupled Device ）を利用したイメージスキャナ等が用いられており、ＡＤＦ（自動原稿送り装置）を備えている。ＡＤＦは、セットされた複数の原稿を１枚ずつ分離して、原稿読取部８の読取台に搬送する。原稿読取部８は、読取台上にセットされた原稿及びＡＤＦにより読取台上に搬送されてきた原稿に光を照射して、原稿で反射された反射光により原稿の画像を読み取る。原稿読取部８の読み取った画像データは、ＭＳＵ９により画像メモリ１０または画像蓄積部７に格納される。
【００５８】
印刷部（印刷手段）１１は、所定の印刷方式、例えば、電子写真方式等でＭＳＵ９から転送されてくる画像データに基づいて記録紙に印刷を行う。
【００５９】
画像メモリ１０は、出力用の画像データを記憶し、ＭＳＵ９からアクセスすることができる。
【００６０】
画像蓄積部（蓄積手段）７は、画像メモリ１０上にある画像データを保存し、また、保存した画像データは、ＭＳＵ９により読み出されて、画像メモリ１０上に展開される。
【００６１】
ＭＳＵ９は、画像メモリ用のコントローラであり、ＣＰＵ２からのコマンドによって画像メモリ１０、画像蓄積部７等の制御を行って、原稿読取部８からの画像データの画像メモリ１０への記憶、画像メモリ１０の画像の画像蓄積部７への保存、画像蓄積部７に保存している画像の画像メモリ１０上への展開、画像蓄積部７に保存した画像の削除、画像メモリ１０に展開した画像の印刷部１１での記録出力、ＣＰＵ２からの画像メモリ１０上に対する任意の値のセット（任意の画像の書き込み）及び画像メモリ１０の２つの画像の画素毎に論理演算を行って、その結果である合成画像を別画像として画像メモリ１０に展開処理等を実行する。
【００６２】
ネットワークアダプタ１２には、ＬＡＮ（Local Area Network）が接続されており、このＬＡＮに接続されている外部装置としての外部コンピュータＰＣとの間で、コマンドの送・受信を行う。
【００６３】
なお、図１には図示していないが、画像形成装置１は、各種定型サイズの転写紙を収納する複数の転写紙トレー、各転写紙トレーの用紙有無を検出する用紙センサ及びその他の各種負荷やセンサ等のドライバ、リアルタイムクロック等を備えていて、これらがＣＰＵ２に接続されている。
【００６４】
次に、本実施例の作用を説明する。まず、本実施例の画像形成装置１による任意のマーク画像と文書の画像とを合成して印刷する場合のマーク合成印刷処理について、図３に基づいて説明する。
【００６５】
図３において、画像形成装置１は、任意のマーク画像を文書画像と合成して印刷する場合、まず、図３に処理Ｐ１で示すように、ＣＰＵ２がマーク画像をＭＳＵ９を介して画像メモリ１０に書き込む。このマーク画像は、例えば、図３では、「１」というカウンタのカウント値の画像を用いているが、機密マーク印刷モードが、配布者モードになっているときには、配布者の名前の文字列がマーク画像となる。
【００６６】
次に、ＭＳＵ９は、図３に処理Ｐ２で示すように、画像蓄積部７から合成印刷する文書を構成する画像（文書画像：図３では、会議資料の画像）を読み出して画像メモリ１０上に展開し、画像メモリ１０上に展開した文書画像と画像メモリ１０に書き込んだマーク画像を、図３に処理Ｐ３で示すように、論理演算して文書合成して、当該合成した結果の合成文書を、図３に処理Ｐ４で示すように、画像メモリ１０の別の領域に記憶する。
【００６７】
次に、ＭＳＵ９は、図３に処理５で示すように、画像メモリ１０の合成文書を読み出して印刷部１１に転送し、印刷部１１に合成文書の印刷を行わせる。
【００６８】
ＭＳＵ９は、画像蓄積部７に文書画像の次ページがあるかチェックし、次ページがあると、当該次ページの画像を読み出して、上記同様に、マーク画像と合成して、印刷部１１で印刷する。
【００６９】
そして、画像蓄積部７の文書画像の全ページのマーク画像と合成した機密マーク印刷が完了すると、ＣＰＵ２が、図３に処理Ｐ１で示したように、新たなマーク画像をＭＳＵ９を介して画像メモリ１０に書き込み、上記同様に、次の文書画像と合成した合成文書を印刷するという処理を繰り返し行って、機密マーク印刷を行う。
【００７０】
そして、上記画像蓄積部７に蓄積される文書画像は、原稿読取部８で原稿から読み取られ、画像蓄積部７に文書ファイルとして蓄積されるが、この文書ファイルは、ファイル属性とマージ印刷属性を有しており、１つの文書に対して、図４に示すように、ファイル属性（図４の（ａ））とマージ印刷属性（図４（ｂ））があり、画像蓄積部７の文書ファイルと対応させた状態で、不揮発ＲＡＭ６に記憶される。
【００７１】
すなわち、図４（ａ）のファイル属性は、ファイルＩＤ、ファイル名、蓄積時刻、作成者、ページ数及びマージ印刷対象有無等からなる。
【００７２】
ここで、ファイルＩＤとは、蓄積した文書に対して一意に採番し、文書を特定するためのＩＤである。ファイル名とは、蓄積した文書の名前であり、後述するように、文書蓄積時に、ファイル名設定キー４１（図６参照）が押下されることで、任意の名前が設定され、また、キーによる設定が行われない場合は、画像形成装置１が自動でファイル名を生成する。蓄積時刻は、文書蓄積終了時にリアルタイムクロックから時刻を読み出して、セットされる。作成者は、後述するように、文書蓄積処理時に、ファイル作成者設定キー４２（図６参照）が押下されることで設定される。ページ数とは、蓄積文書を構成している画像のページ数であり、ページ数は、後述する文書蓄積処理時に、文書の蓄積が終了した後に設定される。マージ印刷対象有無（マージ印刷対象か？）は、当該ファイル属性の蓄積分社がマージ印刷の対象に設定されているかどうかを示す属性であり、マージ印刷対象の場合には、この蓄積文書に対して、選択の処理が拒絶される。
【００７３】
図４（ｂ）のマージ印刷属性は、複数の蓄積文書が選択されてマージ印刷の設定が行われることで、１つの仮想的な結合文書（マージ文書）が生成されるが、この仮想的な結合文書に対する属性である。マージ印刷属性としては、マージ印刷ＩＤ、ファイルＩＤ群、マージ印刷名、パスワード、機密マーク印刷の有無とモード（カウンタまたは配布者リスト）、機密マーク印刷履歴（カウンタ）及び機密マーク印刷履歴（配布者リスト）等がある。
【００７４】
マージ印刷ＩＤは、マージ印刷設定時に生成される仮想的な文書に対して一意に採番し、仮想的な文書を特定するためのＩＤである。ファイルＩＤ群は、仮想的な文書を構成している実際の蓄積文書を示しており、マージ印刷時の個々の蓄積文書の印刷の順番も記憶している。マージ印刷名は、図１６のマージ印刷一覧画面７０に表示するマージ印刷する文書に付与された名称であり、図１１のマージ印刷設定画面５０のマージ印刷名設定キー５４が押下されることで、任意の名前が入力され、また、キーによる設定がないときには、画像形成装置１が自動で名称を生成する。パスワードは、仮想的なマージ文書に対して、機密マーク印刷の設定、解除、印刷、今までに機密マーク印刷でマークした内容の印刷、表示等の場合に、当該印刷、表示等を指示操作する操作者を認証するために使用されるもので、図１１のマージ印刷設定画面５０のパスワード設定キー５３が押下されると、パスワードの入力を行うことができる。機密マーク印刷の有無とモードとは、その仮想的な文書が機密マーク印刷の設定がされているかどうか、また、されている場合には、その機密マーク印刷が印刷部数毎にカウントアップする数字をマークに用いるタイプ（カウンタモード）、または、配布者の名前をマークに用いるタイプ（配布者モード）のどちらのモードになっているかを示すものである。機密マーク印刷履歴（カウンタ）とは、機密マーク印刷のモードがカウンタモードの場合にのみ有効で、その仮想的な文書の機密マーク印刷時のカウンタの最新値が設定されており、１部数印刷する毎にカウントアップする。機密マーク印刷履歴（配布者リスト）とは、機密マーク印刷のモードが配布者モードの場合にのみ有効で、その仮想的な文書の機密マーク印刷時にマーク印刷した配布者のリストが最新値が設定されており、１部数印刷する毎に新たに名前が設定される。
【００７５】
まず、文書蓄積処理について、図２、図５〜図７に基づいて説明する。画像形成装置１は、図２の操作部５の蓄積・印刷キー２６が押下されると、当該キー２６の押下をＣＰＵ２が認識して、図５に示す蓄積文書一覧画面３０を操作部５の液晶タッチパネル２９に表示する。この蓄積文書一覧画面３０には、複数の文書キー３１ａ〜３１ｃ、マージ印刷設定キー３２、印刷条件設定キー３３、文書蓄積キー３４、ページ戻るキー３５及びページ進むキー３６等が表示され、文書キー３１ａ〜３１ｃには、画像メモリ１０に蓄積されている蓄積文書が表示されるとともに、キーになっていて、押下されることで、当該表示している文書の選択の選択が行われる。なお、文書キー３１ａ〜３１ｃには、蓄積されている文書の文書ファイル名、作成者、作成日時、ページ数等の文書情報が表示される。
【００７６】
マージ印刷設定キー３２は、処理対象の蓄積文書を文書キー３１ａ〜３１ｃで選択した後で押下されることで、後述するように、当該蓄積文書に対するマージ印刷の設定処理への移行を選択するキーであり、印刷条件設定キー３３は、処理対象の蓄積文書を文書キー３１ａ〜３１ｃで選択した後で押下されることで、両面印刷モード、集約印刷モード等の当該選択した蓄積文書に対する印刷条件を設定する処理への移行を選択するキーである。  ページ戻るキー３５及びページ進むキー３６は、蓄積文書数が液晶タッチパネル２９の文書キー３１ａ〜３１ｃに表示できる数を越えているときに、次の蓄積文書一覧を表示させ、また、戻って以前の蓄積文書一覧を表示させるのに使用される。
【００７７】
そして、文書蓄積キー３４は、次に説明する文書蓄積処理モードに移行させるキーであり、押下されると、ＣＰＵ２が、図６に示す文書蓄積処理画面４０を液晶タッチパネル２９に表示させ、文書蓄積処理モードに移行する。なお、文書蓄積処理画面４０では、ファイル名設定キー４１とファイル作成者設定キー４２が表示される。
【００７８】
そして、ＣＰＵ２は、文書蓄積処理モードに移行すると、図７に示すように、まず、ファイル名設定キー４１が押下されたか（ステップＳ１０１）、ファイル作成者設定キー４２が押下されたか（ステップＳ１０３）、あるいは、スタートキー２４が押下されたか（ステップＳ１０５）、を順次チェックする。
【００７９】
ステップＳ１０１で、ファイル名設定キー４１が押下されると、操作部５から入力されたファイル名を記憶するファイル名設定処理を行って（ステップＳ１０２）、ファイル作成者設定キー４２が押下されたかチェックする（ステップＳ１０３）。
【００８０】
ステップＳ１０１で、ファイル名設定キー４１が押下されないときには、ＣＰＵ２は、予め設定されている規則に従ってファイル名を自動設定する。
【００８１】
ステップＳ１０３で、ファイル作成者設定キー４２が押下されると、ＣＰＵ２は、操作部５から入力されたファイル作成者名を記憶するファイル作成者名設定処理を行って（ステップＳ１０４）、スタートキー２４が押下されたかチェックする（ステップＳ１０５）。
【００８２】
ステップＳ１０３で、ファイル作成者設定キー４２が押下されないときには、ＣＰＵ２は、ファイル作成者名設定処理を行うことなく、スタートキー２４が押下されたかチェックし（ステップＳ１０５）、スタートキー２４が押下されないときには、ステップＳ１０１に戻って、上記同様に処理する（ステップＳ１０１〜Ｓ１０５）。
【００８３】
ステップＳ１０５で、スタートキー２４が押下されると、ＣＰＵ２は、原稿読取部８で原稿１ページを読み取って、一旦画像メモリ１０に蓄積した後（ステップＳ１０６）、次の原稿が原稿読取部８、具体的には、ＡＤＦにないかチェックし（ステップＳ１０７）、次の原稿があるときには、当該次の原稿の読み取りを行う処理を全ての原稿を読み取るまで順次繰り返し行う（ステップＳ１０６、Ｓ１０７）。
【００８４】
ステップＳ１０７で、次の原稿がないときには、ＣＰＵ２は、読み取った原稿の画像データを画像蓄積部７に蓄積するとともに、上記設定したファイル属性を当該画像蓄積部７の原稿の画像データである蓄積文書ファイルと関連付けて不揮発ＲＡＭ６に書き込んで、処理を終了する（ステップＳ１０８）。
【００８５】
なお、ＣＰＵ２は、不揮発ＲＡＭ６にファイル属性を書き込む際に、ファイルＩＤ、蓄積時刻及びページ数についても書き込む。この場合、ＣＰＵ２は、ファイルＩＤについては、他の蓄積文書のファイルＩＤと重複しないように採番して設定し、蓄積時刻については、リアルタイムクロックの現在時刻を取得して設定する。また、ＣＰＵ２は、ページ数については、例えば、ステップＳ１０６を通過した回数をカウントして設定する。なお、ファイル属性のうち、マージ印刷対象有無については、文書を蓄積した後でセットされるため、リセットしておく。
【００８６】
次に、蓄積文書の選択・印刷制御処理について、図８及び図９に基づいて説明する。画像形成装置１は、上述のように、図２の操作部５の蓄積・印刷キー２６が押下されると、ＣＰＵ２が、図９に示すように、図５に示した蓄積文書一覧画面３０を操作部５の液晶タッチパネル２９に表示し（ステップＳ２０１）、この蓄積文書一覧画面３０で、文書蓄積キー３４が押下されたかチェックする（ステップＳ２０２）。
【００８７】
ステップＳ２０２で、文書蓄積キー３４が押下されると、ＣＰＵ２は、上記図７に示した文書蓄積処理を行い（ステップＳ２０３）、文書キー（蓄積文書蓄積キー）３１ａ〜３１ｃで蓄積文書の選択が行われたかチェックする（ステップＳ２０４）。
【００８８】
ステップＳ２０４で、文書キー３１ａ〜３１ｃが押下されると、ＣＰＵ２は、図９に示すように、文書選択処理を行う（ステップＳ２０５〜Ｓ２０８）。すなわち、ＣＰＵ２は、まず、当該選択された蓄積文書が既に選択状態となっているかチェックし（ステップＳ２０５）、選択状態となっていると、当該選択された蓄積文書を選択解除状態に移行させる（ステップＳ２０６）。ステップＳ２１０５で、当該選択された蓄積文書が未だ選択状態となっていないときには、ＣＰＵ２は、当該選択された蓄積文書がマージ印刷の対象となっているかどうかを当該蓄積文書の不揮発ＲＡＭ６のファイル属性をチェックすることで判別し（ステップＳ２０７）、マージ印刷の対象となっていないときには、当該選択された蓄積文書を選択状態に移行させて（ステップＳ２０８）、図８の印刷条件入力処理に移行する。ステップＳ２０７で、選択された蓄積文書がマージ印刷の対象となっているときには、ＣＰＵ２は、選択できないため、当該選択された蓄積文書を選択状態に移行させることなく、図８の印刷条件入力処理に移行する。
【００８９】
ＣＰＵ２は、図８の印刷条件入力処理に移行すると、両面印刷、集約印刷、部数等の印刷条件の入力処理を行い（ステップＳ２０９）、マージ印刷設定キー３２が押下されたかチェックする（ステップＳ２１０）。
【００９０】
ステップＳ２１０で、マージ印刷設定キー３２が押下されると、ＣＰＵ２は、後述するマージ印刷設定処理を行って（ステップＳ２１１）、スタートキー２４が押下されたかチェックし（ステップＳ２１２）、マージ印刷設定キー３２が押下されないときには、マージ印刷設定処理を行うことなく、スタートキー２４が押下されたかチェックする（ステップＳ２１２）。
【００９１】
ステップＳ２１２で、スタートキー２４が押下されると、ＣＰＵ２は、通常の文書印刷動作処理を実行して（ステップＳ２１３）、ステップＳ２０２に戻って、上記同様に処理し（ステップＳ２０２〜Ｓ２１３）、スタートキー２４が押下されないときには、文書印刷動作処理を行うことなく、ステップＳ２０２に戻って、上記同様に処理する（ステップＳ２０２〜Ｓ２１３）。
【００９２】
画像形成装置１は、上記図８のステップＳ２１１のマージ印刷設定処理を、図１０のマージ印刷設定処理のフローチャート及び図１１のマージ印刷設定画面５０に基づいて説明する。ＣＰＵ２は、図８のステップＳ２１０でマージ印刷設定キー３２が押下されると、マージ印刷設定モードに移行して、１１に示すマージ印刷設定画面５０を操作部５の液晶タッチパネル２９に表示し、機密マーク印刷設定キー５１、５２のいずれかが押下されたかチェックする（ステップＳ３０１）。すなわち、マージ印刷設定画面５０には、図１１に示すように、カウンタ用の機密マージ印刷設定キー５１、配布者用の機密マージ診察設定キー５２、パスワード設定キー５３、マージ印刷名設定キー５４及びＯＫキー５５が表示される。
【００９３】
ステップＳ３０１で、機密マーク印刷設定キー５１、５２のいずれかが押下されると、ＣＰＵ２は、選択文書数分ループ開始位置を設定した後（ステップＳ３０２）、選択文書のファイル属性のマージ印刷対象有無をマージ印刷対象有りに設定する処理を行い（ステップＳ３０３）、選択文書数分ループ数量位置を設定して、ステップＳ３０２からステップＳ３０４の処理を選択文書数分だけループ処理する（ステップＳ３０２〜Ｓ３０４）。
【００９４】
ＣＰＵ２は、ループ処理を完了すると、マージ印刷名設定キー５４が押下されたかチェックし（ステップＳ３０５）、マージ印刷名設定キー５４が押下されると、操作部５から入力されたマージ印刷名を取得して（ステップＳ３０８）、パスワード設定キー５３が押下されたかチェックする（ステップＳ３０７）。
【００９５】
ステップＳ３０５で、マージ印刷名設定キー５４が押下されないときには、ＣＰＵ２は、マージ印刷名取得処理を行うことなく、パスワード設定キー５３が押下されたかチェックし（ステップＳ３０７）、パスワード設定キー５３が押下されると、操作部５から入力されたパスワードを取得する（ステップＳ３０８）。
【００９６】
ＣＰＵ２は、上記取得したマージ印刷名、パスワードを選択文書のマージ印刷属性に設定し（ステップＳ３０９）、ＯＫキー５５が押下されたかチェックする（ステップＳ３１０）。
【００９７】
なお、このマージ印刷属性への設定では、ＣＰＵ２は、既存のマージ印刷のマージ印刷と重複しないように、番号を採番して、セットする。また、ファイルＩＤは、仮想的な文書を構成する複数の蓄積文書のファイルＩＤをセットし、蓄積文書を選択した順序もマージ印刷属性に設定する。さらに、マージ印刷名は、ステップＳ３０５でマージ印刷名設定キー５４が押下されずにステップＳ３０６でマージ印刷名が入力されないときには、ＣＰＵ２が所定の規則に従って自動的に命名して、当該命名したマージ印刷名をマージ印刷属性に設定する。そして、マージ印刷属性を設定すると、機密マーク印刷履歴をリセットする。
【００９８】
上記ステップＳ３０１で、機密マーク印刷設定キー５１、５２のいずれについても押下されないときには、ＣＰＵ２は、マージ印刷対象設定を行うことなく、既にマージ印刷対象設定されている蓄積文書に対してマージ印刷名設定とパスワード設定を上記同様に可能とする（ステップＳ３０５〜Ｓ３１０）。
【００９９】
そして、上述のようにしてマージ印刷の設定が行われた状態で、マージ印刷（結合文書印刷）を行う場合の処理について、図１２〜図１４に基づいて説明する。なお、このマージ印刷処理は、図８のステップＳ２１２のスタートキー２４が押下されて文書印刷動作処理に移行したときのマージ印刷処理である。
【０１００】
ＣＰＵ２は、図１２において、まず、印刷対象の蓄積文書のマージ印刷属性の機密マーク印刷有無が「有り」に設定されているかチェックし（ステップＳ４０１）、機密マーク印刷設定有無が「無し」に設定されていると、通常の文書印刷動作処理を行って、リターンする（ステップＳ４０２）。
【０１０１】
ステップＳ４０１で、選択文書のマージ印刷属性の機密マーク印刷有無が「有り」に設定されていると、ＣＰＵ２は、結合文書マーク合成印刷であるマージ機密マーク印刷を行うが、当該印刷に際して、まず、マージ印刷属性の機密マーク印刷モードがカウンタモードであるか配布者モードであるかをチェックし（ステップＳ４０３）、配布者モードのときには、図１３の配布者設定処理を行う。
【０１０２】
すなわち、配布者設定処理では、図１３に示すように、ＣＰＵ２は、まず、印刷用配布者リストをリセットし（ステップＳ４０４）、操作部５からの配布者の名前入力を待って、配布者の名前が入力されると（ステップＳ４０５）、当該入力された配布者の名前を当該選択文書のマージ印刷属性の中の機密マーク印刷履歴である配布者リストと照合して、入力された配布者の名前が既にマークした配布者リストに入っているかチェックする（ステップＳ４０６）。なお、この配布者の名前の入力では、ＣＰＵ２は、図１５に示すような配布者入力画面（マーク指定手段）６０を液晶タッチパネル２９に表示する。この配布者入力画面６０では、過去に入力されて登録されている配布者名を表示する配布者キー６１と新規入力キー６２を表示し、今回設定入力する配布者が既に他の蓄積文書の配布者として登録されていて配布者キー６１に表示されているときには、当該配布者の配布者キー６１を押下することで、配布者の名前入力を行うことができ、今回設定入力する配布者が配布者キー６１に表示されていないときには、新規入力キー６２を押下した後、キーボードから名前の入力を行う。
【０１０３】
そして、ステップＳ４０６で、入力された配布者の名前が既にマークした配布者リストに入っていると、ＣＰＵ２は、当該入力された配布者を無効として、同じ配布者のマークを印刷しないようにし、ステップＳ４０４に戻って、次の配布者の入力から同様に処理する（ステップＳ４０４〜Ｓ４０６）。
【０１０４】
ステップＳ４０６で、入力された配布者の名前が既にマークした配布者リストに入っていないときには、ＣＰＵ２は、当該入力された配布者を印刷用配布者リストに設定し（ステップＳ４０７）、印刷設定部数分の配布者が設定されたかチェックする（ステップＳ４０８）。
【０１０５】
ステップＳ４０８で、印刷設定部数分の配布者の設定が行われていないときには、ＣＰＵ２は、ステップＳ４０４に戻って、上記同様に次の配布者の設定を行い（ステップＳ４０４〜Ｓ４０８）、ステップＳ４０８で、印刷設定部数分の配布者の設定が行われていると、図１２のステップＳ４１０に移行して、印刷設定部数分ループ開始位置を設定した後（ステップＳ４１０）、マージ印刷属性の機密マーク印刷の履歴があふれたかチェックする（ステップＳ４１１）。
【０１０６】
そして、ステップＳ４０３で、マージ印刷属性の機密マーク印刷モードがカウンタモードであると、ＣＰＵ２は、変数ｃＴｅｍｐにマージ印刷属性の機密マーク印刷履歴（カウンタ）を代入し（ステップＳ４０９）、印刷設定部数分ループ開始位置を設定した後（ステップＳ４１０）、マージ印刷属性の機密マーク印刷の履歴があふれたかチェックする（ステップＳ４１１）。
【０１０７】
ステップＳ４１１で、マージ印刷属性の機密マーク印刷履歴のカウンタが１周してしまったり、あるいは、配布者リストが格納限界になって、マージ印刷属性の機密マーク印刷の履歴があふれた場合には、ＣＰＵ２は、印刷を中止して、リターンし、マージ印刷属性の機密マーク印刷履歴のカウンタが１周してしまったり、配布者リストが格納できない場合の不具合を防止する。
【０１０８】
ステップＳ４１１で、マージ印刷属性の機密マーク印刷履歴のカウンタが１周しておらず、かつ、配布者リストが格納限界になっていないときには、ＣＰＵ２は、マージ印刷属性の機密マーク印刷のモードがカウンタモードであるか、配布者モードであるかチェックし（ステップＳ４１２）、マージ印刷属性の機密マーク印刷のモードがカウンタモードであると、変数ｃＴｅｍｐの数字文字列を、マーク画像として画像メモリに書き込む（ステップＳ４１３）。ステップＳ４１２で、マージ印刷属性の機密マーク印刷モードが配布者モードであると、ＣＰＵ２は、印刷用配布者リストを元に、配布者名をマーク画像として画像メモリに書き込む（ステップＳ４１４）。
【０１０９】
ＣＰＵ２は、画像メモリへのマーク画像の書き込みを行うと、後述する複数文書印刷処理を行い（ステップＳ４１５）、マージ印刷属性の機密マーク印刷のモードがカウンタモードであるか、配布者モードであるかチェックする（ステップＳ４１６）。
【０１１０】
ステップＳ４１６で、機密マーク印刷のモードがカウンタモードであると、変数ｃＴｅｍｐを「１」だけ加算（インクリメント）し、マージ印刷属性の機密マーク印刷履歴（カウンタ）も「１」だけ加算して（ステップＳ４１７）、印刷設定部数分ループ終了位置の設定を行う（ステップＳ４１９）。
【０１１１】
また、ステップＳ４１６において、機密マーク印刷のモードが配布者モードであると、ＣＰＵ２は、マーク印刷した配布者を印刷用配布者リストから削除し、マージ印刷属性の機密マーク印刷履歴（配布者）に追加して（ステップＳ４１８）、印刷設定部数分ループ終了位置の設定を行う（ステップＳ４１９）。
【０１１２】
ＣＰＵ２は、上述のようにマークの印刷済み処理と機密マーク印刷履歴への加算・追加処理を行うと、上記印刷設定部数分ループ開始位置を設定したステップＳ４１０から印刷設定部数分ループ終了位置を設定したステップＳ４１９までの処理を当該印刷設定部数分だけループ処理し、印刷設定部数分のループ処理（ステップＳ４１０〜Ｓ４１９）を実行すると、文書印刷動作処理を終了する。
【０１１３】
そして、上記ステップＳ４１５の複数文書印刷処理は、図１４に示すように実行される。すなわち、ＣＰＵ２は、まず、マージ印刷の文書数分のループの開始をセットして（ステップＳ５０１）、文書のページ数分のループの開始をセットし（ステップＳ５０２）、蓄積画像を画像蓄積部７から読み出して画像メモリ１０で、ステップＳ４１３またはステップＳ４１４で画像メモリに書き込んだマーク画像と合成する（ステップＳ５０３）。
【０１１４】
ＣＰＵ２は、１ページ分の画像合成を行うと、当該１ページ分の合成画像を印刷部１１に転送して、印刷部１１で、当該合成画像を用紙に印刷し（ステップＳ５０４）、文書のページ数分のループの終了をセットして（ステップＳ５０５）、ステップＳ５０２からステップＳ５０５までの処理を文書のページ数分だけループ処理する。
【０１１５】
ステップＳ５０２からステップＳ５０５までの処理を文書のページ数分だけループ処理すると、ＣＰＵ２は、マージ印刷の文書部数のループの終了をセットして（ステップＳ５０６）、ステップＳ５０１からステップＳ５０６までの処理を当該マージ印刷の文書部数だけループ処理して、処理を終了する。
【０１１６】
そして、図２の操作部５のマージ印刷一覧キー２７が押下されたときのマージ印刷一覧表示処理について、図１６〜図１９に基づいて説明する。
【０１１７】
画像形成装置１は、図２に示した操作部５のマージ印刷一覧キー２７が押下されると、ＣＰＵ２が、マージ印刷一覧モードに移行して、操作部５の液晶タッチパネル２９に、図１６に示すマージ印刷一覧画面７０を表示させる。このマージ印刷一覧画面７０では、マージ印刷の対象である仮想的なマージ印刷名（仮想的な結合文書名）を示す複数のマージ印刷タイトルキー７１ａ〜７１ｃ、印刷条件の設定時に押下する印刷条件設定キー７２、マージ印刷の設定解除を行う場合に押下するマージ印刷設定解除キー７３及び詳細表示を行う詳細キー７４等が表示される。
【０１１８】
そして、ＣＰＵ２は、マージ印刷一覧モードに移行すると、図１７に示すように、まず、マージ印刷の各タイトルキー（マージ印刷タイトルキー）７１ａ〜７１ｃが押下されるのをチェックして（ステップＳ７０１）、タイトルキー７１ａ〜７１ｃのいずれかが押下されると、当該押下されたタイトルキー７１ａ〜７１ｃのマージ印刷文書のマージ印刷属性にパスワードが設定されていると、パスワード入力画面を表示して、パスワードが入力されると（ステップＳ６０２）、当該入力されたパスワードとマージ印刷属性のパスワードを照合して一致しているかどうかでパスワード認証がＯＫかどうかチェックする（ステップＳ６０３）。
【０１１９】
ステップＳ６０３で、パスワード認証がＯＫでないとき（ＮＧのとき）には、ＣＰＵ２は、パスワードが不正であるとして、ステップＳ６０１に戻って、上記同様に処理する（ステップＳ６０１〜Ｓ６０３）。
【０１２０】
ステップＳ６０３で、パスワード認証がＯＫのときには、ＣＰＵ２は、印刷条件設定キー７２が押下されたかチェックし（ステップＳ６０４）、印刷条件設定キー７２が押下されると、選択されたマージ印刷文書のマージ印刷属性の機密マーク印刷有無に「有り」が設定されているかチェックする（ステップＳ６０５）。
【０１２１】
ステップＳ６０５で、機密マーク印刷有無に「無し」が設定されていると、ＣＰＵ２は、印刷条件設定が可能であると判断して、印刷条件設定処理を行い（ステップＳ６０６）、マージ印刷設定解除キー７３が押下されたかチェックする（ステップＳ６０７）。
【０１２２】
ステップＳ６０５で、選択されたマージ印刷文書のマージ印刷属性の機密マーク印刷有無に「有り」が設定されていると、ＣＰＵ２は、マージ印刷では、毎回同じ印刷スタイルで印刷するため、印刷条件設定処理へ移行することなく、マージ印刷設定解除キー７３が押下されたかチェックする（ステップＳ６０７）。
【０１２３】
ステップＳ６０７で、マージ印刷設定解除キー７３が押下されると、ＣＰＵ２は、当該選択されたマージ印刷文書を構成する各文書のファイル属性（すなわち、マージ印刷属性にあるファイルＩＤ群のファイル属性）をマージ印刷対象外に設定し（ステップＳ６０８）、マージ印刷属性をリセットして（ステップＳ６０９）、ステップＳ６０１に戻って、上記同様に処理する（ステップＳ６０１〜Ｓ６０９）。
【０１２４】
ステップＳ６０７で、マージ印刷設定解除キー７３が押下されないときには、ＣＰＵ２は、図１８に示すように、詳細キー７４が押下されたかチェックし（ステップＳ６１０）、詳細キー７４が押下されると、図１９に示すマージ印刷文書の詳細属性画面８０ａ（機密印刷用のマークがカウンタモードの場合を示す図１９（ａ））またはマージ印刷文書の詳細属性画面８０ｂ（機密印刷用のマークが配布者モードの場合を示す図１９（ｂ））を表示させる（ステップＳ６１１）。このマージ印刷文書の詳細属性画面８０ａ、８０ｂでは、マージ印刷文書名、合計ページ数、構成文書、機密印刷用のマーク（カウント、または、配布者リスト）を表示するとともに、印刷キー８１と終了キー８２を表示する。
【０１２５】
そして、ＣＰＵ２は、印刷キー８１が押下されたかチェックし（ステップＳ６１２）、印刷キー８１が押下されたときには、マージ印刷属性（マージ印刷文書の詳細属性）の画像を画像メモリ１０上に展開した後、印刷部１１に転送して、印刷部１１で、当該マージ印刷属性を印刷させて（ステップＳ６１３）、終了キー８２が押下されたかチェックする（ステップＳ６１４）。
【０１２６】
ステップＳ６１２で、印刷キー８１が押下されないときには、ＣＰＵ２は、終了キー８２が押下されたかチェックし（ステップＳ６１４）、終了キー８２が押下されないときには、ステップＳ６１２に戻って、印刷キー８１が押下されたかの処理から上記同様に処理する（ステップＳ６１２〜Ｓ６１４）。
【０１２７】
ステップＳ６１４で、終了キー８２が押下されると、ＣＰＵ２は、操作部５の液晶タッチパネル２９からマージ印刷文書の詳細属性画面８０ａ、８０ｂを消去し（ステップＳ６１５）、スタートキー２４が押下されたかチェックする（ステップＳ６１６）。
【０１２８】
また、ステップＳ６１０で、詳細キー７４が押下されないときには、ＣＰＵ２は、マージ印刷文書の詳細属性画面８０ａ、８０ｂの表示を行うことなく、スタートキー２４が押下されたかチェックし（ステップＳ６１６）、スタートキー２４が押下されると、図１２に示したマージ印刷動作処理を実行して（ステップＳ６１７）、図１７のステップＳ６０４に移行して、上記同様に処理する（ステップＳ６０４〜Ｓ６１７）。
【０１２９】
ステップＳ６１６で、スタートキー２４が押下されないときには、ＣＰＵ２は、マージ印刷動作処理を行うことなく、図１７のステップＳ６０４に移行して、上記同様に処理する（ステップＳ６０４〜Ｓ６１７）。
【０１３０】
そして、画像形成装置１は、図１に示したように、ネットワークアダプタ１２及びＬＡＮを介して外部コンピュータＰＣに接続されており、この外部コンピュータＰＣに蓄積文書のファイル属性を送信することができる。
【０１３１】
すなわち、画像形成装置１は、図２０に示すように、外部コンピュータＰＣからマージ印刷属性（機密マーク印刷履歴）送信要求があるかチェックする（ステップＳ７０１）。このマージ印刷属性送信要求は、マージ印刷ＩＤとそのパスワードが指定された要求コマンドである。
【０１３２】
ＣＰＵ２は、ステップＳ７０１で、ネットワークアダプタ１２を介して外部コンピュータＰＣからマージ印刷属性送信要求を受信すると、当該受信したマージ印刷ＩＤで指定されているマージ印刷属性が機器、すなわち、画像形成装置１の不揮発ＲＡＭ６に蓄積されているかチェックし（ステップＳ７０２）、蓄積されていないときには、要求されたマージ印刷ＩＤに該当するマージ印刷属性がないため、送信要求結果を「失敗」とする応答コマンドを当該蓄積文書マーク送信要求を送ってきた外部コンピュータＰＣに送信して（ステップＳ７０３）、ステップＳ７０１に戻る。
【０１３３】
ステップＳ７０２で、マージ印刷ＩＤで指定されているマージ印刷属性が不揮発ＲＡＭ６に蓄積されていると、ＣＰＵ２は、マージ印刷属性送信要求で送信されてきたパスワードと当該マージ印刷ＩＤで指定されているマージ印刷属性のパスワードが一致するかを、当該マージ印刷属性を不揮発ＲＡＭ６から読み出して比較し（ステップＳ７０４）、一致していないときには、パスワードが一致していないため送信要求結果を「失敗」とする応答コマンドを当該マージ印刷属性送信要求を送ってきた外部コンピュータＰＣに送信して（ステップＳ７０５）、ステップＳ７０１に戻る。
【０１３４】
ステップＳ７０４で、送信されてきたパスワードとマージ印刷ＩＤで指定されたマージ印刷属性のパスワードが一致すると、ＣＰＵ２は、当該マージ印刷属性及びマーク履歴等を当該外部コンピュータＰＣに送信して（ステップＳ７０６）、ステップＳ７０１に戻る。
【０１３５】
したがって、外部コンピュータＰＣからもマージ印刷属性である機密マーク印刷の履歴を取得して、ディスプレイ等に表示させて、確認することができる。
【０１３６】
このように、本実施例の画像形成装置１は、原稿読取部８から入力した文書データを画像蓄積部７に蓄積し、画像蓄積部７に蓄積されている任意の複数の蓄積文書を結合して印刷部１１で印刷する結合文書印刷（マージ印刷）を行うとともに、当該結合した結合文書（マージ文書）の各ページに任意の画像を合成して印刷部１１で印刷する結合文書合成印刷（マージ文書合成印刷）を行うに際して、当該結合文書合成印刷として、結合文書を構成する蓄積文書の各ページに任意のマークを合成して印刷する結合文書マーク合成印刷（マージ文書機密マーク合成印刷）を行うとともに、当該結合した複数の蓄積文書の組毎に当該印刷したマーク（機密マーク）を使用済みマークとして不揮発ＲＡＭ６に記憶している。
【０１３７】
したがって、任意のタイミングで任意の部数だけ複数の蓄積文書を結合させるとともにマーク合成して印刷する結合文書マーク合成印刷の利用性を向上させることができるとともに、結合文書マーク合成印刷文書の管理及び回収時のセキュリティを向上させることができ、利用性を向上させつつ機密保護を必要とする蓄積文書の機密保護を適切に向上させることができる。
【０１３８】
また、本実施例の画像形成装置１は、任意の複数の蓄積文書を結合させて印刷するために選択された複数の蓄積文書の組を１つの仮想的な結合文書（マージ文書）として記憶し、結合文書マーク合成印刷時には、当該仮想的な結合文書を指定して当該結合文書マーク合成印刷を実行している。
【０１３９】
したがって、結合文書マーク合成印刷を行うたびに、結合した蓄積文書を個々に選択する手間を省いて、操作手順を容易なものとすることができ、利用性をより一層向上させつつ機密保護を必要とする蓄積文書の機密保護を適切に向上させることができる。
【０１４０】
さらに、本実施例の画像形成装置１は、不揮発ＲＡＭ６に記憶されている使用済みマークを、結合文書マーク合成印刷を行った蓄積文書の組としての結合文書毎に、操作部５の液晶タッチパネル２８に表示出力、印刷部１１で印刷出力、または、外部装置である外部コンピュータＰＣへの出力のうち、少なくとも１つを行っている。
【０１４１】
したがって、機密保護用のマークを合成印刷した結合文書マーク合成印刷物の配布、回収時のチェックを容易に行うことができ、利用性をより一層向上させつつ機密保護を必要とする蓄積文書の機密保護をより一層適切に向上させることができる。
【０１４２】
また、本実施例の画像形成装置１は、結合文書マーク合成印刷に使用するマークを、不揮発ＲＡＭ６に記憶されている使用済みマーク以外のマークから自動的に選択している。
【０１４３】
したがって、同じ蓄積文書で同じマークを２度と使わないようにしつつマークの選択を容易なものとして、機密保護用の結合文書マーク合成印刷時のセキュリティを向上させることができ、利用性をより一層向上させつつ機密保護を必要とする蓄積文書の機密保護をより一層適切に向上させることができる。
【０１４４】
さらに、本実施例の画像形成装置１は、自動選択可能なマークがなくなると、新たな結合文書マーク合成印刷を中止している。
【０１４５】
したがって、同じマークが再度使われることを確実に防止することができ、利用性を向上させつつ機密保護を必要とする蓄積文書の機密保護をより一層適切に向上させることができる。
【０１４６】
また、本実施例の画像形成装置１は、操作部５の液晶タッチパネル２８で指定されたマークを、結合文書マーク合成印刷で使用している。
【０１４７】
したがって、機密保護に使用するマークの指定を容易に行うことができるとともに、利用者の意図するマークを適切に選択することができ、利用性をより一層向上させつつ機密保護を必要とする蓄積文書の機密保護をより一層適切に向上させることができる。
【０１４８】
さらに、本実施例の画像形成装置１は、液晶タッチパネル２８で指定されたマークが不揮発ＲＡＭ６に記憶されている使用済みマークと一致すると、当該指定されたマークを使用した結合文書マーク合成印刷を拒否している。
【０１４９】
したがって、オペレータが選択することによるマークの重複使用を未然に防止することができ、利用性をより一層向上させつつ、機密保護を必要とする蓄積文書の機密保護をより一層適切に向上させることができる。
【０１５０】
また、本実施例の画像形成装置１は、画像蓄積部７の任意の複数の蓄積文書を結合させて印刷するために選択された複数の蓄積文書の組を１つの仮想的な結合文書とし、当該仮想的な結合文書を結合文書マーク合成印刷の対象文書とするか否かの結合文書マーク合成印刷対象文書可否設定を可能とし、また、当該結合文書マーク合成印刷対象文書とした仮想的な結合文書に対してパスワードの設定を可能としている。
【０１５１】
したがって、機密管理の必要のない文書については、通常の文書処理を可能として、利用性を向上させることができるとともに、機密保護を必要とする蓄積文書の結合文書単位での機密保護を適切に向上させることができる。
【０１５２】
さらに、本実施例の画像形成装置１は、仮想的な結合文書を結合文書マーク合成印刷の対象文書に設定して結合文書マーク合成印刷対象文書とすると、当該結合文書マーク合成印刷対象文書とした仮想的な結合文書の印刷条件を所定の印刷条件に固定している。
【０１５３】
したがって、機密保護を必要とする蓄積文書の結合文書マーク合成印刷物では印刷スタイルを統一することで、機密保護を必要とする結合文書マーク合成印刷物の配布、回収時のチェックを容易なものとすることができ、機密保護を必要とする蓄積文書の機密保護をより一層適切に向上させることができる。
【０１５４】
また、本実施例の画像形成装置１は、仮想的な結合文書を結合文書マーク合成印刷の対象文書に設定して結合文書マーク合成印刷対象文書とすると、当該結合文書マーク合成印刷対象文書とした仮想的な結合文書を構成する個々の蓄積文書の単独での印刷を不可に設定している。
【０１５５】
したがって、結合文書マーク合成印刷対象文書を構成して当該結合文書の個々の蓄積文書と同じ内容の蓄積文書が単独で印刷されて、機密性が損なわれることを防止することができ、機密保護を必要とする蓄積文書の機密保護をより一層適切に向上させることができる。
【０１５６】
さらに、本実施例の画像形成装置１は、結合文書マーク合成印刷対象文書とした仮想的な結合文書に対してパスワードが設定されていると、当該結合文書を構成する蓄積文書を利用した動作に際して、当該パスワードの認証を条件としている。
【０１５７】
したがって、機密保護を必要とする結合文書を構成する個々の蓄積文書及び当該結合文書の機密マーク印刷の履歴情報等についてもより一層適切に機密を保護することができる。
【０１５８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１５９】
複数の文書を結合して印刷するマージ印刷時に、当該マージ印刷物の機密保護のためのマークを当該マージ印刷の印刷文書の画像に合成して印刷するマーク合成印刷の効果を適切に発揮させる画像形成装置及び記録媒体に適用することができる。
【図面の簡単な説明】
【０１６０】
【図１】本発明の画像形成装置及び記録媒体の一実施例を適用した画像形成装置のブロック構成図。
【図２】図１の操作部の平面図。
【図３】図１の画像形成装置によるマーク合成印刷処理の説明図。
【図４】図１の不揮発ＲＡＭに記憶されるファイル属性（図４（ａ））とマージ印刷属性（図４（ｂ））の一例を示す図。
【図５】図１の操作部の液晶タッチパネルに表示される蓄積文書一覧画面の一例を示す図。
【図６】図５で文書蓄積キーが押下されたときに液晶タッチパネルに表示される文書蓄積処理画面の一例を示す図。
【図７】図１の画像形成装置による文書蓄積処理を示すフローチャート。
【図８】図１の画像形成装置による文書選択・印刷制御処理を示すフローチャート。
【図９】図８の文書選択・印刷制御処理の続きの処理を示すフローチャート。
【図１０】図１の画像形成装置によるマージ印刷モード設定処理を示すフローチャート。
【図１１】図１０のマージ印刷モード設定処理で液晶タッチパネルに表示するマージ印刷設定画面の一例を示す図。
【図１２】図１の画像形成装置によるマージ印刷動作処理を示すフローチャート。
【図１３】図１２のマージ印刷動作処理の続きの処理を示すフローチャート。
【図１４】図１２のマージ印刷動作処理の複数文書印刷処理の詳細な処理を示すフローチャート。
【図１５】図１２のマージ印刷動作処理の配布者名入力時に液晶タッチパネルに表示する配布者入力画面の一例を示す図。
【図１６】図１の操作部のマージ印刷一覧キーが押下されたときの液晶タッチパネルに表示するマージ印刷一覧画面の一例を示す図。
【図１７】図１の画像形成装置によるマージ印刷一覧処理を示すフローチャート。
【図１８】図１７のマージ印刷一覧処理の続きの処理を示すフローチャート。
【図１９】図１７のマージ印刷一覧処理で液晶タッチパネルに表示される機密印刷用のマークがカウンタである場合の文書詳細情報の一例（ａ）と機密印刷用のマークが配布者である場合の文書詳細情報の一例（ｂ）を示す図。
【図２０】図１の画像形成装置による文書ファイル情報の外部コンピュータへの送信処理を示すフローチャート。
【符号の説明】
【０１６１】
１  画像形成装置
２  ＣＰＵ
３  ＲＯＭ
４  ＲＡＭ
５  操作部
６  不揮発ＲＡＭ
７  画像蓄積部
８  原稿読取部
９  ＭＳＵ
１０  画像メモリ
１１  印刷部
１２  ネットワークアダプタ
２１  テンキー
２２  クリアキー
２３  エンターキー
２４  スタートキー
２５  コピーキー
２６  蓄積・印刷キー
２７  マージ印刷一覧キー
２８  初期設定キー
２９  液晶タッチパネル
３０  蓄積文書一覧画面
３１ａ〜３１ｃ  文書キー
３２  マージ印刷設定キー
３３  印刷条件設定キー
３４  文書蓄積キー
３５  ページ戻るキー
３６  ページ進むキー
４０  文書蓄積処理画面
４１  ファイル名設定キー
４２  ファイル作成者設定キー
５０  マージ印刷設定キー
５１、５２  機密マージ印刷設定キー
５３  パスワード設定キー
５４  マージ印刷名設定キー
５５  ＯＫキー
６０  配布者入力画面
６１  配布者キー
６２  新規入力キー
７０  マージ印刷一覧画面
７１ａ〜７１ｃ  マージ印刷タイトルキー
７２  印刷条件設定キー
７３  マージ印刷設定解除キー
７４  詳細キー
８０ａ、８０ｂ  詳細属性画面
８１  印刷キー
８２  終了キー
【図１】
2005186517.tif 000003
【図２】
2005186517.tif 000004
【図３】
2005186517.tif 000005
【図４】
2005186517.tif 000006
【図５】
2005186517.tif 000007
【図６】
2005186517.tif 000008
【図７】
2005186517.tif 000009
【図８】
2005186517.tif 000010
【図９】
2005186517.tif 000011
【図１０】
2005186517.tif 000012
【図１１】
2005186517.tif 000013
【図１２】
2005186517.tif 000014
【図１３】
2005186517.tif 000015
【図１４】
2005186517.tif 000016
【図１５】
2005186517.tif 000017
【図１６】
2005186517.tif 000018
【図１７】
2005186517.tif 000019
【図１８】
2005186517.tif 000020
【図１９】
2005186517.tif 000021
【図２０】
2005186517.tif 000022